(57)【要約】      （修正有）【課題】被挿入物を転倒することなく起立させることができる台を簡易に組み立てられる菓子等の内容物の包装用の箱を提供する。【解決手段】菓子等の内容物の包装用の箱を、箱胴部と、所定の同じ大きさの２つの箱端部の３つの個体に分割し、さらに、箱胴部の谷折り指示線と複数の切り込み線及び山折り指示線が設けられていない側板を分割した後、箱胴部を裏返し、箱胴部の側板６を谷折りにし、前記切り込み線に切り込みを入れて山折にして被挿入物の挿入孔３を形成し、箱端部に被挿入物の支持部を形成し、当該支持部を挿入孔３の真下に配置して被挿入物を保持する台は、被挿入物を転倒することなく起立させることができる。【選択図】図１
0003209325.tif 000002
【実用新案登録請求の範囲】
【請求項１】
箱胴部と、所定の同じ大きさの２つの箱端部の３つの個体に分割するための切り取り線が設けられ、
前記箱胴部の側板の裏面に谷折り指示線と複数の切り込み線及び山折り指示線が設けられ、
前記谷折り指示線と前記複数の切り込み線及び山折り指示線が設けられていない側板を分割するための切り取り線が設けられ、
前記箱端部に被挿入物の下部を支持するための支持部の切り取り線がそれぞれ設けられ、
前記各切り取り線に従い各個体を分割し、
前記箱胴部を裏返し、前記側板を谷折りにし、前記切り込み線に切り込みを入れて山折にして被挿入物の挿入孔を形成し、
前記支持部を前記挿入孔の真下に配置して被挿入物を保持する台となる、
菓子等の内容物の包装用の箱。
【請求項２】
前記被挿入物は、生花の茎、幹、または枝が差し込まれ、水を収容する１または複数の容器である請求項１記載の包装用の箱。
【請求項３】
前記箱端部同士が並行かつ水平の状態で配置され、
前記箱胴部の上板と下板との間に前記箱端部が配置され、前記箱端部の各側面と前記上板と前記下板が接合されている請求項１または請求項２記載の包装用の箱。
【請求項４】
前記箱端部同士が上下２段に重なった状態で配置され、
前記箱胴部の上板と下板との間に前記箱端部が配置され、前記箱端部の側面と前記上板と前記下板が接合されている請求項１または請求項２記載の包装用の箱。
【請求項５】
請求項１から４のいずれか一項に記載の包装用の箱から組立てられる台。
【考案の詳細な説明】
【技術分野】
【０００１】
本考案は、菓子等の内容物の包装用の箱から被挿入物を転倒することなく起立させることができる台を簡易に組み立てることができる考案に関するものである。
【背景技術】
【０００２】
菓子等を食べ終わった包装用の空き箱は、通常は廃棄される。
【０００３】
非特許文献１には、お菓子の空き箱を利用して組立てられた家が開示されている。
【先行技術文献】
【非特許文献】
【０００４】
【非特許文献１】http://iemo.jp/photos/117678
【考案の概要】
【考案が解決しようとする課題】
【０００５】
非特許文献１に開示されたお菓子の空き箱を利用して組立てられた家は、組立方法が難解であり、組立てが困難である。また、単なる観賞用であり、生花等を飾る等といった実用性のある使い方はできない。
【０００６】
本考案は、上記の問題点に鑑みてなされたものであり、包装用の箱から簡単に組立てることができ、かつ、生花等を飾ることができる実用的な台を提供することを目的とする。たとえば、本考案によれば、水の入った容器に生花を差し込み、それを組み立てた台に挿入することで、生花の風合いを損なわずに、簡易に一輪ないし複数の生花を安定して飾ることができる。
【課題を解決するための手段】
【０００７】
本考案は、以下の包装用の箱及び台に関する。
［１］箱胴部と、所定の同じ大きさの２つの箱端部の３つの個体に分割するための切り取り線が設けられ、前記箱胴部の側板の裏面に谷折り指示線と複数の切り込み線及び山折り指示線が設けられ、前記谷折り指示線と前記複数の切り込み線及び山折り指示線が設けられていない側板を分割するための切り取り線が設けられ、前記箱端部に被挿入物の下部を支持するための支持部の切り取り線がそれぞれ設けられ、前記各切り取り線に従い各個体を分割し、前記箱胴部を裏返し、前記側板を谷折りにし、前記切り込み線に切り込みを入れて山折にして被挿入物の挿入孔を形成し、前記支持部を前記挿入孔の真下に配置して被挿入物を保持する台となる、菓子等の内容物の包装用の箱。
［２］前記被挿入物は、生花の茎、幹、または枝が差し込まれ、水を収容する１または複数の容器である［１］記載の包装用の箱。
［３］前記箱端部同士が並行かつ水平の状態で配置され、前記箱胴部の上板と下板との間に前記箱端部が配置され、前記箱端部の各側面と前記上板と前記下板が接合されている［１］または［２］記載の包装用の箱。
［４］前記箱端部同士が上下２段に重なった状態で配置され、前記箱胴部の上板と下板との間に前記箱端部が配置され、前記箱端部の各側面と前記上板と前記下板が接合されている［１］または［２］記載の包装用の箱。
［５］［１］から［４］のいずれか一項に記載の包装用の箱から組立てられる台。
【考案の効果】
【０００８】
本考案によれば、１つの包装用の箱から被挿入物を転倒することなく安定した状態で保持することができる台を簡易に組み立てることができる。たとえば、本考案によれば、水の入った容器に生花を差し込み、それを組み立てた台に挿入することで、生花の風合いを損なわずに、簡易に一輪ないし複数の生花を飾ることができる。
【図面の簡単な説明】
【０００９】
【図１】図１は実施例１の組立完成図を示したでものある。なお、組立て過程でホチキス留めをした部分は、太い実線で表される。（図２Ｅ、図３、図４、図５Ｅ、図６、図７及び図８Ｅにおいて、以下同じ。）
【図２Ａ】図２Ａは実施例１の包装用の箱を示した図である。図中の破線は切取り指示線である（図５Ａ及び図８Ａにおいて、以下同じ。）。図中の二重線は、係合指示部である。（図２Ｃ及びＤにおいて、以下同じ。）
【図２Ｂ】図２Ｂは実施例１の組立て方法を示した説明図である。
【図２Ｃ】図２Ｃは実施例１の組立て方法を示した説明図である。
【図２Ｄ】図２Ｄは実施例１の組立て方法を示した説明図である。側板６の実線は、切込み指示線、破線は谷折りないし山折り指示線である（図５Ｄ及び図８Ｄにおいて、以下同じ。）。
【図２Ｅ】図２Ｅは実施例１の組立て方法を示した説明図である。
【図３】図３は実施例１の変形例を示した図である。
【図４】図４は実施例２の組立完成図を示したものである。
【図５Ａ】図５Ａは実施例２の包装用の箱を示した図である。図中の二重線は、係合指示部である（図５Ｃ及び図５Ｄにおいて、以下同じ。）。
【図５Ｂ】図５Ｂは実施例２の組立て方法を示した説明図である。
【図５Ｃ】図５Ｃは実施例２の組立て方法を示した説明図である。
【図５Ｄ】図５Ｄは実施例２の組立て方法を示した説明図である。
【図５Ｅ】図５Ｅは実施例２の組立て方法を示した説明図である。
【図６】図６は実施例２の変形例を示した図である。
【図７】図７は、実施例３の組立完成図を示したものである。
【図８Ａ】図８Ａは実施例３の包装用の箱を示した図である。図中の二重線は、係合指示部である（図８Ｃ及び図８Ｄにおいて、以下同じ）。
【図８Ｂ】図８Ｂは実施例３の組立て方法を示した説明図である。
【図８Ｃ】図８Ｃは実施例３の組立て方法を示した説明図である。
【図８Ｄ】図８Ｄは実施例３の組立て方法を示した説明図である。
【図８Ｅ】図８Ｅは実施例３の組立て方法を示した説明図である。
【考案を実施するための形態】
【００１０】
本考案は、（１）箱胴部と、所定の同じ大きさの２つの箱端部の３つの個体に分割するための切り取り線が設けられ、（２）前記箱胴部の側板の裏面に谷折り指示線と複数の切り込み線及び山折り指示線が設けられ、（３）前記谷折り指示線と前記複数の切り込み線及び山折り指示線が設けられていない側板を分割するための切り取り線が設けられ、（４）前記箱端部に被挿入物の下部を支持するための支持部の切り取り線がそれぞれ設けられ、（５）前記各切り取り線に従い各個体を分割し、（６）前記箱胴部を裏返し、前記側板を谷折りにし、前記切り込み線に切り込みを入れて山折にして被挿入物の挿入孔を形成し、（７）前記支持部を前記挿入孔の真下に配置して被挿入物を保持する台となる構成のものである。以下、各構成について、詳細に説明する。
【００１１】
本考案は、菓子等の内容物の包装用の箱を用いる。多くは、直方体や立方体の箱であるが、形状はこれらに限定されない。
【００１２】
箱の素材は、特に限定されない。例えば、紙、プラスチック・シリコン・アクリル・ポリカーボネードなどの樹脂製の素材、紙と金属が張り合わされた素材、紙と布が張り合わされた素材、紙と陶器・磁器が張り合わされた素材、樹脂製の素材と金属が張り合わされた素材、樹脂製の素材と布が張り合わされた素材、または樹脂製の素材と陶器・磁器が張り合わされた素材などでもよい。
【００１３】
被挿入物は、形状、材質及び用途は特に限定されない。例えば、プラスチック製の筒状形状のものや、ガラス製試験管などであってもよい。容器に水を入れて生花を飾る用途以外にも、プリザーブドフラワーや生花以外の植物や種子などを飾る用途に使用してもよい。
【００１４】
また、箱胴部の側面に、切り込みや穴開け加工などを施したり、情報を印刷して情報伝達媒体とすることも可能である。また、箱胴部の側面に、メッセージを書き込めるようにすることも可能である。
【００１５】
以下、本考案について実施例を参照して詳細に説明するが、本考案はこれらの実施例により限定されない。
【実施例】
【００１６】
［実施例１］
高さが２センチメートル程度、横幅が１５センチメートル程度、縦幅が８センチメートル程度の直方体の菓子の包装用の箱を用意する。当該箱には、箱胴部と箱端部とを分割するための切り取り線が設けられている。また、箱端部に被挿入物の下部を支持するための支持部の切り取り線が設けられている。箱胴部の側板（面積の小さい側面）の裏面には、谷折りないし山折り指示線と複数の切り込み線が設けられている。また、箱胴部に箱胴部の谷折り指示線等が設けられていない側板を分割するための切り取り線が設けられている（図２Ａ）。
【００１７】
次に、組立方法を説明する（図２ＢないしＥ）。
【００１８】
まず、各切り取り線に従い各個体を分割する。そして、２つの箱端部を被挿入物の下部の支持部が１つの孔になるよう長辺同士が接するように箱端部同士を並行にかつ水平に合わせて、ホチキス留めをして、２つの箱端部を接合する。次に、箱胴部を裏返し、側板を谷折り指示線に従い谷折りし、切り込み線に切り込みを入れてから山折りして被挿入物の挿入孔を形成する。そして、挿入孔の真下に支持部を配置し、箱端部の短辺が箱胴部の上板と下板とに接するようにして、箱端部の短辺と箱胴部の上板と下板のそれぞれの下部とをホチキス留めにて接合する。ホチキス留めは、２か所が理想的であるが、何か所であるか、また、ホチキス留めをする場所は特に限定されない。
【００１９】
以上より、被挿入物を保持する台が完成する（図１）。なお、箱胴部の上板と下板の下部の実線は、折り曲げてもよいし、折り曲げなくてもよいし、折り曲げるための指示線はあってもなくてもよい。
【００２０】
［実施例２］
高さが４センチメートル程度、横幅が１５センチメートル程度、縦幅が８センチメートル程度の直方体の菓子の包装用の箱を用意する。当該箱には、箱胴部と箱端部とを分割するための切り取り線が設けられている。また、箱端部に被挿入物の下部を支持するための支持部の切り取り線が設けられている。箱胴部の側板（面積の小さい側面）の裏面には、谷折りないし山折り指示線と複数の切り込み線が設けられている。また、箱胴部に箱胴部の谷折り指示線等が設けられていない側板を分割するための切り取り線が設けられている（図５Ａ）。
【００２１】
次に、組立方法を説明する（図５ＢないしＥ）。
【００２２】
まず、各切り取り線に従い各個体を分割する。そして、２つの箱端部を被挿入物の下部の支持部が１つの孔になるよう長辺同士が接するように箱端部同士を並行にかつ水平に合わせて、ホチキス留めをする。次に、箱胴部を裏返し、側板を谷折り指示線に従い谷折りし、切り込み線に切り込みを入れてから山折りして被挿入物の挿入孔を形成する。そして、挿入孔の真下に支持部を配置し、箱端部の長辺が箱胴部の上板と下板の各下部とに接するようにして、箱端部の長辺と箱胴部の上板と下板のそれぞれの下部とをホチキス留めにて接合する。ホチキス留めは、２か所が理想的であるが、何か所であるか、また、ホチキス留めをする場所は特に限定されない。
【００２３】
以上より、被挿入物を保持する台が完成する（図４）。なお、箱胴部の上板と下板の下部の実線は、折り曲げてもよいし、折り曲げなくてもよいし、折り曲げるための指示線はあってもなくてもよい。
【００２４】
［実施例３］
高さが１０センチメートル程度、横幅が１０センチメートル程度、縦幅が１０センチメートル程度の略直方体の菓子の包装用の箱を用意する。当該箱には、箱胴部と箱端部とを分割するための切り取り線が設けられている。また、箱端部に被挿入物の下部を支持するための支持部の切り取り線が設けられている。箱胴部の側板の裏面には、谷折りないし山折り指示線と複数の切り込み線が設けられている。また、箱胴部に箱胴部の谷折り指示線等が設けられていない側板を分割するための切り取り線が設けられている（図８Ａ）。
【００２５】
次に、組立方法を説明する（図８ＢないしＥ）。
【００２６】
まず、各切り取り線に従い各個体を分割する。そして、２つの箱端部を被挿入物の下部の支持部が１つの孔になるよう箱端部同士を上下２段に重ね合わせる。次に、箱胴部を裏返し、側板を谷折り指示線に従い谷折りし、切り込み線に切り込みを入れてから山折りして被挿入物の挿入孔を形成する。そして、挿入孔の真下に支持部を配置し、箱端部の長辺が箱胴部の上板と下板の各下部に接するようにして、箱端部の長辺と箱胴部の上板と下板のそれぞれの下部とをホチキス留めにて接合する。ホチキス留めは、各箱端部につき２か所が理想的であるが、何か所であるか、また、ホチキス留めをする場所は特に限定されない。
【００２７】
以上より、被挿入物を保持する台が完成する（図７）。なお、箱胴部の上板と下板の下部の実線は、折り曲げてもよいし、折り曲げなくてもよいし、折り曲げるための指示線はあってもなくてもよい。
【産業上の利用可能性】
【００２８】
本考案の包装用の箱及び台は、包装用の箱から簡単に組立てることができ、かつ、生花等を飾ることができる実用的な台を提供することを目的とする。たとえば、本考案によれば、水の入った容器に生花を差し込み、それを組み立てた台に挿入することで、生花の風合いを損なわずに、簡易に一輪ないし複数の生花を安定して飾ることができるものとして有用である。
【符号の説明】
【００２９】
１    箱胴部
２    箱端部
３    挿入孔
４    支持部
５    被挿入物
６    側板
【図１】
0003209325.tif 000003
【図２Ａ】
0003209325.tif 000004
【図２Ｂ】
0003209325.tif 000005
【図２Ｃ】
0003209325.tif 000006
【図２Ｄ】
0003209325.tif 000007
【図２Ｅ】
0003209325.tif 000008
【図３】
0003209325.tif 000009
【図４】
0003209325.tif 000010
【図５Ａ】
0003209325.tif 000011
【図５Ｂ】
0003209325.tif 000012
【図５Ｃ】
0003209325.tif 000013
【図５Ｄ】
0003209325.tif 000014
【図５Ｅ】
0003209325.tif 000015
【図６】
0003209325.tif 000016
【図７】
0003209325.tif 000017
【図８Ａ】
0003209325.tif 000018
【図８Ｂ】
0003209325.tif 000019
【図８Ｃ】
0003209325.tif 000020
【図８Ｄ】
0003209325.tif 000021
【図８Ｅ】
0003209325.tif 000022